(57)【要約】      （修正有）【課題】贈り主が書いたメッセージをパズルピースによって秘匿すると共に、ジグソーパズル全体の元のデザインも秘匿することが出来るパズル兼用レターカードを提供する。【解決手段】台紙１１の所定領域に設けた文字や絵などを書くことが出来るメッセージ記入欄１４を、パズルピース１３で隠蔽する。パズルピースは凹凸を有しない矩形で構成されるので、各パズルピースを任意に配置することが出来る。【選択図】図１
2013193459.tif 000002
【特許請求の範囲】
【請求項１】
台紙の所定領域に設けたメッセージ記入欄と、前記メッセージ記入欄を少なくとも隠蔽するとともに、ジグソーパズルとしてのパズルピースとを備えたパズル兼用レターカードであって、前記パズルピースは凹凸を有しない矩形で構成されることを特徴とするパズル兼用レターカード。
【請求項２】
元のデザインと異なるように、使用する全てのパズルピースを用いて前記パズルピースが再配置されることを特徴とする請求項１記載のパズル兼用レターカード。
【請求項３】
前記台紙の外形または前記台紙表面のデザインは、前記パズルピースで表現されるデザインのモチーフと同一モチーフで形成されることを特徴とする請求項１記載または請求項２記載のパズル兼用レターカード。
【請求項４】
前記台紙の形状、台紙デザイン、パズルピースデザインの少なくとも一つが絵馬をモチーフとしたものであることを特徴とする請求項１乃至請求項３記載のパズル兼用レターカード。
【請求項５】
パズルの難易度に応じて前記パズルピースの数が異なることを特徴とする請求項１記載乃至請求項４記載のパズル兼用レターカード。
【請求項６】
前記パズルピースによる分割を禁止するデザイン部が最初に決められ、このデザイン部分がパズルピースにより分割されないようにパズルピースの分割が行われ、このパズルピースに合わせて他のパズルピースを含む全体のパズルピース分割が行われたことを特徴とする請求項１乃至請求項５記載のパズル兼用レターカード。
【請求項７】
前記台紙の裏面に奉納したい神社仏閣の住所等宛先を書きポストへの投函又は郵便窓口への送付依頼をすることにより、前記奉納したい神社仏閣に前記パズル兼用レターカードが郵送され奉納されることを特徴とする請求項１乃至請求項６記載のパズル兼用レターカード。
【請求項８】
前記パズルピース表面に前記パズルピース表面に表示デザインが剥離しないための剥離防止剤が塗布されたことを特徴とする請求項１乃至請求項７記載のパズル兼用レターカード。
【請求項９】
前記パズルピース表面及びパズルピースを取り囲む額縁表面が、前記パズルピースが前記台紙から剥離しない為のシートで覆われたことを特徴とする請求項１乃至請求項８記載のパズル兼用レターカード。
【請求項１０】
完成デザインを初期的には遊技者に見えないように表示することを特徴とする請求項１乃至請求項９記載のパズル兼用レターカード。
【請求項１１】
前記パズルピースと前記台紙間に、郵便書簡（ミニレター）が挿入されていることを特徴とする請求項１乃至請求項１０記載のパズル兼用レターカード。
【請求項１２】
前記パズル兼用レターカードの前記台紙裏面に、返信用メッセージ欄を設けたことを特徴とする請求項１乃至請求項１１記載のパズル兼用レターカード。
【発明の詳細な説明】
【技術分野】
【０００１】
本発明は、ジグソーパズルとしても楽しむことができるレターカードに関するものである。
【背景技術】
【０００２】
従来、文字や絵などを書いてレターカードとして郵送するだけでなく、レターカードにジグソーパズルの機能を持たせて、レターカードを贈った相手にジグソーパズルとしても楽しんでもらうジグソーパズル兼用レターカードが開発されている。
【０００３】
ジグソーパズル兼用レターカードの第１の従来技術として、特許文献１（特開２００２−２４０４７１公報）にパズル付きはがきが開示されている。この公報記載の発明では、基板表面のメッセージ記入欄に送り先相手へのメッセージを書いた後、基板表面にパズルピースを組み合わせ書かれたメッセージを隠蔽する。これにより基板表面に書かれたメッセージが第三者に読まれる恐れは少なく、かつ送り先相手はパズルピースを取り外してメッセージを読んだ後、通常のジグソーパズルとして楽しむことが出来る。
【０００４】
またジグソーパズル兼用レターカードの第２の従来技術として、特許文献２（特開２００１−２２４８３９公報）にジグソーパズルとして遊べるレターカードが開示されている。この公報記載の発明では、台紙の表面に文字などのメッセージを書いた後にパズル片を所定の位置に嵌め込み、メッセージをパズル片により覆うように構成している。これにより第１の従来技術と同様にメッセージを他人に読まれないようにし、パズル片を取り除いて台紙に書かれたメッセージを読んだ後は、通常のジグソーパズルとして楽しむことが出来る。
【０００５】
また凹凸を有しない矩形のパズルピースを用いた学習ジグソーパズル玩具が特許文献３（特開２００３−２３６２６０公報）に開示されている。この公報記載の発明では、学習者が回答が印刷されている位置に正しくパズルピースを配置することにより、パズルピース表面全体の絵柄を完成させることができる。
【先行技術文献】
【特許文献】
【０００６】
【特許文献１】特開２００２−２４０４７１公報
【０００７】
【特許文献２】特開２００１−２２４８３９公報
【０００８】
【特許文献３】特開２００３−２３６２６０公報
【発明の概要】
【発明が解決しようとする課題】
【０００９】
第１の従来技術及び第２の従来技術において、ジグソーパズルの各パズルピースは凹部及びこれに嵌合する凸部からなる嵌合部を設け、これらの嵌合部で隣接する各パズルピースが全て互いに嵌め込まれたときに所定の写真や絵が完成するように構成されている。従って各パズルピースが全て嵌め込まれた状態でレターカードが送られた場合、元の写真や絵の完成デザインは、送り先相手がレターカードを受け取った時点でわかってしまい、ジグソーパズルとしての趣向を著しく損ねてしまうという問題がある。
【００１０】
一方、各パズルピースをレターカードのメッセージ記入欄に嵌め込まず、各パズルピースを袋などに入れてレターカードと一緒に送る方法では、送り先相手がレターカードを受け取った時点で完成デザインは不明であるものの、メッセージ記入欄に書いた文字や絵のメッセージが露出しており、読まれたくない第三者にメッセージが読まれてしまう恐れがある。
【００１１】
また特許文献３記載の従来技術では、ジグソーパズルをレターカードとして用いる記載もしくは示唆は無く、メッセージを自由に書くことが出来るメッセージ欄の構成についても記載されていない。また本発明のパズル兼用レターカードを構成するメッセージ欄にあえてパズル盤を対応させてみると、パズル盤に印刷された回答を秘匿する理由は見いだせず、仮に秘匿した場合は学習自体ができない一方、本発明のパズル兼用レターカードはメッセージ欄に自由に書かれたメッセージを秘匿することが本質的に重要である。
【課題を解決するための手段】
【００１２】
本発明のパズル兼用レターカードは、台紙の所定領域に設けたメッセージ記入欄と、前記メッセージ記入欄を少なくとも隠蔽するとともに、ジグソーパズルとしてのパズルピースとを備えたパズル兼用レターカードであって、前記パズルピースは凹凸を有しない矩形で構成されたものである。
【００１３】
また前記台紙の形状、前記台紙デザイン、パズルピースデザインの少なくとも一つが絵馬をモチーフとしたもので構成されても良い。
【００１４】
また前記パズルピース表面に表示された文字や絵などのデザインが剥離しないための剥離防止剤が塗布された構成であっても良い。
【００１５】
さらに前記パズルピース表面及びパズルピースを取り囲む額縁表面が、前記パズルピースが前記台紙から剥離しない為のシートで覆われた構成であっても良い。
【発明の効果】
【００１６】
本発明のパズル兼用レターカードは、台紙の所定表面に文字や絵などのメッセージを書いた後に台紙上にパズルピースを任意のパターンで配列すると、書かれたメッセージがパズルピースで秘匿されるので、郵送途中でメッセージが第三者に見られてしまう恐れがない。
【００１７】
またレターカードを贈られた受取人はパズルピースを取り外して、本人だけがメッセージを読むことが出来る。そしてメッセージを読んだ後は、取り外したパズルピースを用いてジグソーパズルを楽しむことが出来る。さらに完成した絵や写真を壁などに飾って、インテリアとしても楽しむことが出来る。
【００１８】
本発明のパズル兼用レターカードは、贈り主がパズルピースを元の写真や絵の完成デザインと異なる配置にして受取人に送るため、受取人はレターカードを受け取った時点では元の完成デザインを見ることが出来ない。従って、従来技術で問題であった送り先相手がレターカードを受け取った時点で元の完成デザインがわかってしまい、ジグソーパズルとしての趣向を著しく損ねてしまうことがなく、通常のジグソーパズルとして十分楽しむことが出来る。
【００１９】
また本発明のパズル兼用レターカードは、凹凸を持たない矩形のパズルピースで構成されるので、パズルピースによるイラストや写真などの分割線がシャープであり、ジグソーパズルを完成させ俯瞰したときの美観が優れている。特にアイドル写真の顔部分のパズルピースに切り込みが入った場合、アイドルとしてのステータスが傷ついてしまうので従来のジグソーパズルでは大きな問題となったが、本発明のパズルピースではアイドル写真の顔の部分は切り込みを持たないすっきりした矩形で構成されるので、美観上致命的な問題となるようなケースにおいても適用可能である。
【００２０】
さらに本発明のパズル兼用レターカードは、凹凸を持たない矩形のパズルピースで構成されるのでパズルピースの配置をスピーディに変更することができ、パズルピースの配置自体にストレスを感じることがない。
【００２１】
台紙のメッセージ欄は文字、イラストなどを自由に書くことが出来るように無地を基本とするが、メッセージ記入欄に予め罫線を入れておいても良い。自由にイラストを描きたい場合罫線が邪魔になるが、文字やキャラクタを罫線に沿ってきれいに揃えて書くことが出来る効果がある。
【００２２】
またパズルピース表面を剥離防止シートで覆ってから、この剥離防止シートをパズルピース表面および額縁の表面に剥離可能なように貼付することにより、郵送途中などにパズルピースが台紙から剥離しないようにすることができる。
【００２３】
またレターカードを絵馬として構成することにより、直接奉納できない参拝希望者でも、どこからでも郵送して日本各地の神社や仏閣に祈願・奉納することができる。
【００２４】
さらに本発明のパズル兼用レターカードは、パズルピースに凹凸が設けられていないので、パズルピースに凹凸が設けられたジグソーパズルよりもジグソーパズルとしてのゲーム性の難易度は高くなる。そこで、一つのジグソーパズル用のパズルピースの数を複数種類用意することにより、パズルピース数が少なくパズルの難易度が易しい初心者用から、パズルピース数が多くパズルの難易度が高いマニア向けまで難易度の異なるジグソーパズルを提供することが出来る。
【図面の簡単な説明】
【００２５】
【図１】（ａ）は本発明によるパズル兼用レターカードの平面図であり、（ｂ）はパズルピースを台紙から取り外して各パズルピースをばらばらにした状態を示す図であり、（ｃ）はばらばらにしたパズルピースをそのまま額縁内に嵌め込んだ図であり、（ｄ）は台紙からパズルピースを取り外したときの台紙のメッセージ欄を示す図である。
【図２】本発明によるパズル兼用レターカードを絵馬に適用したパズル兼用絵馬はがきを示す平面図である。
【図３】パズルピースの数を変えたときの本発明によるパズル兼用レターカードを示す平面図である。
【図４】本発明によるパズル兼用絵馬はがきの販売拠点を説明する説明図である。
【図５】本発明によるパズル兼用絵馬はがきをポストに投函して送り先に郵送する際の説明図である。
【図６】本発明によるパズル兼用絵馬はがきを全国どこからでも全国の神社仏閣に奉納する際の説明図である。
【符号の説明】
【００２６】
１１，２１，３１ 台紙
１２，２２，３２ 額縁
１３，２３，３３Ａ〜３３Ｄ パズルピース
１４，２４ メッセージ記入欄
【図１】
2013193459.tif 000003
【図２】
2013193459.tif 000004
【図３】
2013193459.tif 000005
【図４】
2013193459.tif 000006
【図５】
2013193459.tif 000007
【図６】
2013193459.tif 000008